(57)【要約】      （修正有）【課題】十字形状に均一拡散する噴霧パターンを得ることができるエアゾールボタンおよびエアゾールキャップを提供する。【解決手段】エアゾールボタンは、噴口チップ３０の内部に第２流出路２５と連通するチップ流出路４５と、このチップ流出路４５と連通して横方向に傾斜角θを有する第３流出路３７とを有している。また、噴口チップ３０は、チップ流出路４５の先端面で開口して主噴射する第１噴口４１と、第１噴口４１の両側部に一対形成され、第３流出路３７の先端面で開口する第２噴口４３とを有している。第１噴口４１によって縦方向に拡散し、横方向にも所定量の縦拡散角を有する主噴射Ｅが形成されるとともに、左右一対の第２噴口４３によって横拡散角αを有し、縦方向に一定の厚みを有する拡散噴射Ｆが形成される。【選択図】図６
2011177677.tif 000002
【特許請求の範囲】
【請求項１】
エアゾール容器のステムに挿着されて前記ステムを押下することで前記エアゾール容器内の内容物を噴射するエアゾールボタンであって、
一端がステム挿入孔として開口する第１流出路の形成されたボタン本体と、
前記第１流出路と連通した第２流出路の先端面で開口させて噴口とするノズル体と、
該ノズル体の開口部先端に挿着される噴口チップと、を備え、
該噴口チップは、その内部に前記第２流出路と連通するチップ流出路と、該チップ流出路と連通し、該チップ流出路に対して横方向に傾斜角を有する第３流出路と、を有するとともに、
前記チップ流出路の先端面で開口して主噴射する第１噴口と、
該第１噴口の両側部に一対形成され、前記第３流出路の先端面で開口する第２噴口と、
を有していることを特徴とするエアゾールボタン。
【請求項２】
請求項１記載のエアゾールボタンであって、
前記第１噴口は、上下方向に開放された一対の第１突出部により形成されるとともに、
前記第２噴口は、前記第１突出部の両側部に形成され、前端にカット面を有する一対の第２突出部により形成されていることを特徴とするエアゾールボタン。
【請求項３】
請求項１又は２に記載のエアゾールボタンと、前記エアゾール容器に嵌合装着されるキャップ本体とが一体形成されていることを特徴とするエアゾールキャップ。
【発明の詳細な説明】
【技術分野】
【０００１】
本発明は、エアゾール容器に収容されている内容物を噴射するために、エアゾール容器に装着されるエアゾールキャップに関し、特に十字状の広角な噴霧パターンを得るエアゾールボタンに関する。
【背景技術】
【０００２】
従来から消臭剤等の内容物と液化ガスとが充填されたエアゾール容器に装着されるエアゾール用ノズルが知られている（例えば、特許文献１）。このエアゾール用ノズルは、使用時に押釦を押下することによりノズル体から内容物を噴射させることができる。
【０００３】
図７に示したエアゾール用ノズル１００は、押釦１０１にノズル体１０３を設け、ステム１０５の押圧時にエアゾール容器１０７の内部とノズル体１０３とを連通させる。ノズル体１０３には、内容物を流出させる流出路１０９が軸方向に形成されている。
【０００４】
図８に示したノズル体１０３は、流出路１０９の流出先端部１１１が円形に形成されている。流出先端部１１１には、流出路１０９と直交する拡散割溝１１３が形成されている。この拡散割溝１１３の底部１１５が流出先端部１１１に切り込んで形成されている。これにより、拡散割溝１１３と流出路１０９の流出先端部１１１とが連通して、噴口１１７が形成されている。
【０００５】
使用時は、押釦１０１を押圧してエアゾール容器１０７のバルブ機構(図示せず)が開弁すると、内容物がノズル体１０３の流出路１０９に流入する。流出先端部１１１に到達した内容物は、流出先端部１１１の内面で拡散して、流出先端部１１１から外部に噴出する。その噴出方向は、拡散割溝１１３によって両側が規制され、上下方向のみに拡散し、左右方向に一定の厚みを有する側面視で扇形状に噴射される。これにより、正面視で長方形状に近似した噴霧パターンを得ることができる。
【先行技術文献】
【特許文献】
【０００６】
【特許文献１】特開２００６−３２０７７５号公報
【発明の概要】
【発明が解決しようとする課題】
【０００７】
しかしながら、従来のワイド噴射ノズルであるエアゾール用ノズル１００は、拡散割溝１１３によって噴射を上下方向に拡散させ、左右方向には一定の厚みに制限していたので、左右方向にも拡散させたい場合には適していなかった。
そのため、上下方向のみに形成していた拡散割溝１１３を左右方向にも形成して、所謂、十字噴口による噴霧パターンを検討した。その結果、十字噴口では均一な拡散による十字形状の噴霧パターンを得ることはできなかった。
【０００８】
本発明は、上記課題に鑑みてなされたものであり、十字形状に均一拡散する噴霧パターンを得ることができるエアゾールボタンおよびエアゾールキャップを提供することを目的としている。
【課題を解決するための手段】
【０００９】
本発明に係る上記目的は、下記構成により達成される。
（１）エアゾール容器のステムに挿着されて前記ステムを押下することで前記エアゾール容器内の内容物を噴射するエアゾールボタンであって、一端がステム挿入孔として開口する第１流出路の形成されたボタン本体と、前記第１流出路と連通した第２流出路の先端面で開口させて噴口とするノズル体と、該ノズル体の開口部先端に挿着される噴口チップと、を備え、該噴口チップは、その内部に前記第２流出路と連通するチップ流出路と、該チップ流出路と連通し、該チップ流出路に対して横方向に傾斜角を有する第３流出路と、を有するとともに、前記チップ流出路の先端面で開口して主噴射する第１噴口と、該第１噴口の両側部に一対形成され、前記第３流出路の先端面で開口する第２噴口と、を有していることを特徴とするエアゾールボタン。
【００１０】
前記構成のエアゾールボタンによれば、噴口チップは、その内部に第２流出路と連通するチップ流出路と、このチップ流出路と連通して横方向に傾斜角を有する第３流出路とを有するとともに、チップ流出路の先端面で開口して主噴射する第１噴口と、第１噴口の両側部に一対形成され、第３流出路の先端面で開口する第２噴口とを有している。
これにより、ボタン本体の押下に伴ってエアゾール容器内の内容物が第１噴口と第２噴口から噴射されることで、十字形状で均一拡散する噴霧パターンを得ることができる。
また、噴口チップのみを交換することで、様々な十字形状の噴霧パターンを形成することができ、ノズル体側を共通化することで汎用性に優れたエアゾールボタンを得ることができる。
【００１１】
（２）（１）のエアゾールボタンであって、前記第１噴口は、上下方向に開放された一対の第１突出部により形成されるとともに、前記第２噴口は、前記第１突出部の両側部に形成され、前端にカット面を有する一対の第２突出部により形成されていることを特徴とするエアゾールボタン。
【００１２】
前記構成のエアゾールボタンによれば、第１噴口が上下方向に開放された一対の第１突出部に形成され、第２噴口が第１突出部の両側部に形成され、前端にカット面を有する一対の第２突出部により形成されている。これにより、さらに広範囲に均一拡散可能な十字形状の噴霧パターンを得ることができる。
【００１３】
（３）（１）または（２）に記載のエアゾールボタンと、前記エアゾール容器に嵌合装着されるキャップ本体とが一体形成されていることを特徴とするエアゾールキャップ。
【００１４】
前記構成のエアゾールキャップによれば、ノズル体とボタン本体を一体にしたエアゾールボタンに、さらにキャップ本体が一体形成されることで、従来別部品であったノズル体、ボタン本体およびキャップ本体が１部品となる。これにより、十字形状に均一拡散する噴霧パターンを得ることができると共に、コスト低減を図ることができる。
【発明の効果】
【００１５】
本発明に係るエアゾールボタンおよびエアゾールキャップによれば、噴口チップは、その内部に第２流出路と連通するチップ流出路と、該チップ流出路と連通し、該チップ流出路に対して横方向に傾斜角を有する第３流出路と、を有している。さらに、噴口チップは、チップ流出路の先端面で開口して主噴射する第１噴口と、該第１噴口の両側部に一対形成され、前記第３流出路の先端面で開口する第２噴口と、を有している。
したがって、ボタン本体の押下に伴ってエアゾール容器内の内容物が第１噴口と第２噴口から噴射されることで、十字形状で均一拡散する噴霧パターンを得ることができる。
【図面の簡単な説明】
【００１６】
【図１】本発明に係るエアゾールボタンの一実施形態を示す外観斜視図である。
【図２】図１の正面図である。
【図３】図２に示した要部の拡大図である。
【図４】図２のＡ−Ａ線断面図である。
【図５】図４の要部の拡大図である。
【図６】図３のＢ−Ｂ線断面図である。
【図７】従来のワイド噴射ノズルを備えたエアゾール容器の要部断面図である。
【図８】図７に示したノズル体の拡大斜視図である。
【発明を実施するための形態】
【００１７】
以下、本発明の一実施形態を図１〜図６に基づいて詳細に説明する。
図１及び図２に示すように、本実施形態によるエアゾールキャップ１０は、エアゾール容器１１の上部に嵌合装着されるキャップ本体１３とエアゾールボタン２０が、一体的に形成されている。エアゾールボタン２０は、ボタン本体２１の一側面から突出した円筒状のノズル体２２を備えている。エアゾールキャップ１０は、エアゾール容器１１のステムに挿着され、使用時にエアゾールボタン２０を押下することでエアゾール容器内の消臭剤等の原液と噴射剤である液化ガスとの混合内容物を噴霧状に噴射する。
【００１８】
図３〜図５に示すように、エアゾールボタン２０のボタン本体２１は、下端側にステム挿入孔２３として開口する第１流出路２４を備えている。ノズル体２２は、ボタン本体２１の側面に突設され、第１流出路２４の中心軸Ｃと直交する軸線Ｄに沿って穿設された第２流出路２５を備えている。また、ノズル体２２は、第２流出路２５の先端面で開口して主噴射する第１噴口４１と、該第１噴口４１の両側に一対の第２噴口４３とを有している。
【００１９】
第２流出路２５を形成するノズル体２２の先端には、噴口チップ３０が挿着されている。噴口チップ３０は、円筒状の装着部３１と、該装着部３１先端の噴射部３３とを備えている。装着部３１は、内部にチップ流出路４５を有しており、外部の前方側に大径部３２と後方側に小径部３４を有しており、小径部３４の外周には固定用の爪部３５を有している。噴口チップ３０の組付け時には、小径部３４側からノズル体２２先端の挿着部２７内に挿入されることで、大径部３２で位置決めされると共に爪部３５により固定される。
【００２０】
噴射部３３は、装着部前端面３６から突出しており、チップ流出路４５の先端面で開口して主噴射する円形の第１噴口４１と、該第１噴口の両側部に一対形成され、後述する第３流出路３７の先端面で開口する矩形の第２噴口４３と、を有している。
【００２１】
第１噴口４１は、上下方向に開放された一対の第１突出部４７により形成されている。この一対の第１突出部４７によりチップ流出路４５と直交する拡散割溝３９が形成されている。この拡散割溝３９の溝深さＨは、後述する第２突出部５１からの突出量に相当する。第１突出部４７は、第１噴口４１側に傾斜した上下一対の第１傾斜面４９を有しており、第１噴口４１の上側の一対の第１傾斜面４９により上方への縦拡散角βが形成され、下側の一対の第１傾斜面４９により下方への縦拡散角βが形成されている。例えば、縦拡散角βは６０°である。なお、本実施形態では上下の縦拡散角βを同じ角度としたが上下で異なる角度にすることも可能である。
【００２２】
図３及び図６に示すように、第２噴口４３は、第１突出部４７の両側部に形成され、前端にカット面５５を有する一対の第２突出部５１に形成されている。第２突出部５１の内部には、チップ流出路４５と連通し該チップ流出路４５の軸線Ｄに対して横方向に鈍角である傾斜角θの第２傾斜面５３を有する左右一対の第３流出路３７が形成されている。例えば、カット面５５は後方側に角度３０°傾斜したカット面であり、第２傾斜面５３の傾斜角θは１５０°である。
【００２３】
第２噴口４３は、第３流出路３７の前端部で傾斜角θの第２傾斜面５３によって左右方向（拡散方向）に屈曲している。これにより、第２噴口４３は、第１噴口４１に対して横方向への横拡散角α（＝π−θ）を形成している。したがって、第１噴口４１によって縦方向に拡散し、横方向にも所定量の縦拡散角βを有する主噴射Ｅが形成されるとともに、左右一対の第２噴口４３によって横方向への横拡散角αを有し、縦方向に一定の厚みを有する拡散噴射Ｆが形成される。この主噴射Ｅと拡散噴射Ｆが同時に噴射されることにより全体的に広範囲に均一拡散可能な十字形状の噴霧パターンが形成される。
【００２４】
上述したように本実施形態のエアゾールボタン２０によれば、噴口チップ３０は、その内部に第２流出路２５と連通するチップ流出路４５と、このチップ流出路４５と連通して横方向に傾斜角θを有する第３流出路３７とを有している。また、噴口チップ３０は、チップ流出路４５の先端面で開口して主噴射する第１噴口４１と、第１噴口４１の両側部に一対形成され、第３流出路３７の先端面で開口する第２噴口４３とを有している。
これにより、ボタン本体２１の押下に伴ってエアゾール容器１１内の内容物が第１噴口４１と第２噴口４３から噴射されることで、全体的に十字形状で且つ均一拡散する噴霧パターンを実現することができる。また、噴口チップ３０のみを交換することで、様々な十字形状の噴霧パターンを形成することができ、ノズル体２２側を共通化することで汎用性に優れたエアゾールボタンを得ることができる。
【００２５】
また、第１噴口４１が上下方向に開放された一対の第１突出部４７に形成され、第２噴口４３が第１突出部４７の両側部に形成され、前端にカット面５５を有する一対の第２突出部５１により形成されている。これにより、さらに広範囲に均一拡散可能な十字形状の噴霧パターンを実現することができる。
【００２６】
また、本実施形態のエアゾールキャップ１０によれば、ノズル体２２とボタン本体２１を一体にしたエアゾールボタン２０に、さらにキャップ本体１３が一体形成されることで、従来別部品であったノズル体２２、ボタン本体２１及びキャップ本体１３が１部品となる。これにより、全体的に十字形状で且つ均一拡散する噴霧パターンを実現することができると共に、コスト低減を図ることができる。
【００２７】
なお、上述した実施形態では、エアゾールボタンの側方から噴射する実施形態について説明したが、本発明はこの実施形態に限定されるものではなく、エアゾールボタンの上方から噴射する実施形態にも適用することができる。
【符号の説明】
【００２８】
１０…エアゾールボタンキャップ
１１…エアゾール容器
１３…キャップ本体
２０…エアゾールボタン
２１…ボタン本体
２２…ノズル体
２４…第１流出路
２５…第２流出路
２７…挿着部
３０…噴口チップ
３１…装着部
３３…噴射部
３７…第３流出路
３９…拡散割溝
４１…第１噴口
４３…第２噴口
４５…チップ流出路
４７…第１突出部
４９…第１傾斜面
５１…第２突出部
５３…第２傾斜面
５５…カット面
α…横拡散角
β…縦拡散角
θ…傾斜角
Ｅ…主噴射
Ｆ…拡散噴射
【図１】
2011177677.tif 000003
【図２】
2011177677.tif 000004
【図３】
2011177677.tif 000005
【図４】
2011177677.tif 000006
【図５】
2011177677.tif 000007
【図６】
2011177677.tif 000008
【図７】
2011177677.tif 000009
【図８】
2011177677.tif 000010